(57)【要約】【課題】伝送路のトラフィックの負荷と、画像表示装置の表示処理の負荷とを軽減させる。【解決手段】時間的に隣り合う２つのフレーム画像から差分データを含む矩形領域を検出し、さらに、隣り合う２つの矩形領域から重なり領域を検出し、この重なり領域について、対応する２つの矩形領域のうち最新の矩形領域に占める面積の割合が動画判定面積基準ＤＬ以上であるものが動画判定回数基準ＭＬ分連続してある場合に、この動画判定回数基準ＭＬ個目に該当する重なり領域に対応する２つの矩形領域のうち最新の矩形領域を動画領域であると判定し、この動画領域のうち、前回出力対象であった前回更新領域と重複しない領域の画像データを第１の圧縮率でデータ圧縮し、動画領域と前回更新領域との重複領域の画像データを第１の圧縮率よりも高い圧縮率である第２の圧縮率でデータ圧縮して出力する。【選択図】図１
2010206618.tif 000002
【特許請求の範囲】
【請求項１】
時間的に隣り合う２つのフレーム画像から差分のあるデータを含むブロック領域を順次検出するブロック領域検出手段と、
前記検出されたブロック領域について、時間的に隣り合う２つのブロック領域から重なり領域を順次検出する重なり領域検出手段と、
前記検出された重なり領域について、動画領域であるか否かを判定する動画領域判定手段と、
前記動画領域であると判定されたブロック領域において、前回、画像供給に係る出力対象であった出力対象ブロック領域と重複しない領域の画像データを第１の圧縮率でデータ圧縮して第１の圧縮画像データを生成するとともに、前記動画領域であると判定されたブロック領域と前記出力対象ブロック領域との重複する領域の画像データを前記第１の圧縮率よりも圧縮率の高い第２の圧縮率でデータ圧縮して第２の圧縮画像データを生成する圧縮画像データ生成手段と、
前記生成された第１及び第２の圧縮画像データを出力する出力手段と、
を備えたことを特徴とする画像供給装置。
【請求項２】
前記動画領域判定手段は、前記検出された重なり領域について、対応する２つのブロック領域のうち最新のブロック領域に占める面積の割合が所定の基準値以上であるものが所定個数分連続してある場合に、前記所定個数目に該当する重なり領域に対応する２つのブロック領域のうち最新のブロック領域を動画領域であると判定することを特徴とする請求項１記載の画像供給装置。
【請求項３】
画像供給装置と画像表示装置とを伝送路を介して接続した画像供給システムにおいて、
前記画像供給装置は、
時間的に隣り合う２つのフレーム画像から差分のあるデータを含むブロック領域を順次検出するブロック領域検出手段と、
前記検出されたブロック領域について、時間的に隣り合う２つのブロック領域から重なり領域を順次検出する重なり領域検出手段と、
前記検出された重なり領域について、動画領域であるか否かを判定する動画領域判定手段と、
前記動画領域であると判定されたブロック領域において、前回、前記画像表示装置に対する出力対象であった出力対象ブロック領域と重複しない領域の画像データを第１の圧縮率でデータ圧縮して第１の圧縮画像データを生成するとともに、前記動画領域であると判定されたブロック領域と前記出力対象ブロック領域との重複する領域の画像データを前記第１の圧縮率よりも圧縮率の高い第２の圧縮率でデータ圧縮して第２の圧縮画像データを生成する圧縮画像データ生成手段と、
前記生成された第１及び第２の圧縮画像データを出力する出力手段と、
を備え、
前記画像表示装置は、
フレーム画像を記憶するフレーム画像記憶手段と、
前記画像供給装置から供給された第１及び第２の圧縮画像データを受信する受信手段と、
前記受信した第１及び第２の圧縮画像データをデータ伸長して第１及び第２の伸長画像データを生成する伸長画像データ生成手段と、
前記生成された第１及び第２の伸長画像データを前記フレーム画像記憶手段に記憶されたフレーム画像に上書きさせる上書制御手段と、
前記フレーム画像記憶手段に上書き記憶されたフレーム画像を読み出して投写出力する投写出力手段と、
を備えたことを特徴とする画像音声供給システム。
【請求項４】
時間的に隣り合う２つのフレーム画像から差分のあるデータを含むブロック領域を検出するブロック領域検出ステップと、
前記検出されたブロック領域と、このブロック領域の検出時の直前に検出されたブロック領域とから重なり領域を検出する重なり領域検出ステップと、
前記検出された重なり領域について、動画領域であるか否かを判定する動画領域判定ステップと、
前記動画領域であると判定されたブロック領域において、前回、画像供給に係る出力対象であった出力対象ブロック領域と重複しない領域の画像データを第１の圧縮率でデータ圧縮して第１の圧縮画像データを生成し、前記動画領域であると判定されたブロック領域と前記出力対象ブロック領域との重複する領域の画像データを前記第１の圧縮率よりも圧縮率の高い第２の圧縮率でデータ圧縮して第２の圧縮画像データを生成する圧縮画像データ生成ステップと、
前記生成された第１及び第２の圧縮画像データを出力する出力ステップと、
を有したことを特徴とする画像供給方法。
【請求項５】
コンピューターに処理を実行させるための画像供給用プログラムであり、
時間的に隣り合う２つのフレーム画像から差分のあるデータを含むブロック領域を検出するブロック領域検出ステップと、
前記検出されたブロック領域と、このブロック領域の検出時の直前に検出されたブロック領域とから重なり領域を検出する重なり領域検出ステップと、
前記検出された重なり領域について、動画領域であるか否かを判定する動画領域判定ステップと、
前記動画領域であると判定されたブロック領域のうち、前回、画像供給に係る出力対象であった出力対象ブロック領域と重複しない領域の画像データを第１の圧縮率でデータ圧縮して第１の圧縮画像データを生成し、前記動画領域であると判定されたブロック領域と前記出力対象ブロック領域との重複する領域の画像データを前記第１の圧縮率よりも圧縮率の高い第２の圧縮率でデータ圧縮して第２の圧縮画像データを生成する圧縮画像データ生成ステップと、
前記生成された第１及び第２の圧縮画像データを出力する出力ステップと、
を前記コンピューターに実行させるための画像供給用プログラム。
【発明の詳細な説明】
【技術分野】
【０００１】
本発明は、画像供給装置、画像供給システム、画像供給方法、及び画像供給用プログラムに係り、特に、画像データの効率的な供給技術に関する。
【背景技術】
【０００２】
パーソナルコンピューター（ＰＣ）と、映像を投写表示するプロジェクターとをネットワークを介して接続し、ＰＣがプロジェクターに映像データを送信して、これを受信したプロジェクターが映像を投写表示するプロジェクターシステムが構築されることがある。このようなプロジェクターシステムにおいて、ＰＣからプロジェクターへのデータ転送量を軽減するために、映像データの差分データを抽出して転送する送信装置が知られている（例えば、特許文献１参照）。
【先行技術文献】
【特許文献】
【０００３】
【特許文献１】特開２００５−３３７６３号公報
【発明の概要】
【発明が解決しようとする課題】
【０００４】
しかしながら、動き領域のフレーム画像に占める割合が大きく、且つ常に動いている映像については、フレーム間の差分データが大きなものとなるため、特許文献１記載のシステムを用いた場合でも、ネットワークに対する帯域の負荷や、プロジェクターに対する表示処理の負荷は依然として大きなものとなり、プロジェクターの表示に関するパフォーマンスを制限するものとなっている。
【０００５】
そこで、本発明は上記問題に鑑みてなされたものであり、デジタルデータである画像データを画像供給装置から画像表示装置に伝送路を介して供給する場合において、伝送路のトラフィックの負荷と、画像表示装置の表示処理の負荷とを軽減させて、画像表示装置の表示に関するパフォーマンスを高く維持することのできる、画像供給装置、画像供給システム、画像供給方法、及び画像供給用プログラムを供給することを目的とする。
【課題を解決するための手段】
【０００６】
本発明は、上記の課題を解決するために、以下［１］−［５］の手段を提供するものである。
［１］  時間的に隣り合う２つのフレーム画像から差分のあるデータを含むブロック領域を順次検出するブロック領域検出手段と、
前記検出されたブロック領域について、時間的に隣り合う２つのブロック領域から重なり領域を順次検出する重なり領域検出手段と、
前記検出された重なり領域について、動画領域であるか否かを判定する動画領域判定手段と、
前記動画領域であると判定されたブロック領域において、前回、画像供給に係る出力対象であった出力対象ブロック領域と重複しない領域の画像データを第１の圧縮率でデータ圧縮して第１の圧縮画像データを生成するとともに、前記動画領域であると判定されたブロック領域と前記出力対象ブロック領域との重複する領域の画像データを前記第１の圧縮率よりも圧縮率の高い第２の圧縮率でデータ圧縮して第２の圧縮画像データを生成する圧縮画像データ生成手段と、
前記生成された第１及び第２の圧縮画像データを出力する出力手段と、
を備えたことを特徴とする画像供給装置。
［２］  前記動画領域判定手段は、前記検出された重なり領域について、対応する２つのブロック領域のうち最新のブロック領域に占める面積の割合が所定の基準値以上であるものが所定個数分連続してある場合に、前記所定個数目に該当する重なり領域に対応する２つのブロック領域のうち最新のブロック領域を動画領域であると判定することを特徴とする上記［１］記載の画像供給装置。
［３］  画像供給装置と画像表示装置とを伝送路を介して接続した画像供給システムにおいて、
前記画像供給装置は、
時間的に隣り合う２つのフレーム画像から差分のあるデータを含むブロック領域を順次検出するブロック領域検出手段と、
前記検出されたブロック領域について、時間的に隣り合う２つのブロック領域から重なり領域を順次検出する重なり領域検出手段と、
前記検出された重なり領域について、動画領域であるか否かを判定する動画領域判定手段と、
前記動画領域であると判定されたブロック領域において、前回、前記画像表示装置に対する出力対象であった出力対象ブロック領域と重複しない領域の画像データを第１の圧縮率でデータ圧縮して第１の圧縮画像データを生成するとともに、前記動画領域であると判定されたブロック領域と前記出力対象ブロック領域との重複する領域の画像データを前記第１の圧縮率よりも圧縮率の高い第２の圧縮率でデータ圧縮して第２の圧縮画像データを生成する圧縮画像データ生成手段と、
前記生成された第１及び第２の圧縮画像データを出力する出力手段と、
を備え、
前記画像表示装置は、
フレーム画像を記憶するフレーム画像記憶手段と、
前記画像供給装置から供給された第１及び第２の圧縮画像データを受信する受信手段と、
前記受信した第１及び第２の圧縮画像データをデータ伸長して第１及び第２の伸長画像データを生成する伸長画像データ生成手段と、
前記生成された第１及び第２の伸長画像データを前記フレーム画像記憶手段に記憶されたフレーム画像に上書きさせる上書制御手段と、
前記フレーム画像記憶手段に上書き記憶されたフレーム画像を読み出して投写出力する投写出力手段と、
を備えたことを特徴とする画像音声供給システム。
［４］  時間的に隣り合う２つのフレーム画像から差分のあるデータを含むブロック領域を検出するブロック領域検出ステップと、
前記検出されたブロック領域と、このブロック領域の検出時の直前に検出されたブロック領域とから重なり領域を検出する重なり領域検出ステップと、
前記検出された重なり領域について、動画領域であるか否かを判定する動画領域判定ステップと、
前記動画領域であると判定されたブロック領域において、前回、画像供給に係る出力対象であった出力対象ブロック領域と重複しない領域の画像データを第１の圧縮率でデータ圧縮して第１の圧縮画像データを生成し、前記動画領域であると判定されたブロック領域と前記出力対象ブロック領域との重複する領域の画像データを前記第１の圧縮率よりも圧縮率の高い第２の圧縮率でデータ圧縮して第２の圧縮画像データを生成する圧縮画像データ生成ステップと、
前記生成された第１及び第２の圧縮画像データを出力する出力ステップと、
を有したことを特徴とする画像供給方法。
［５］  コンピューターに処理を実行させるための画像供給用プログラムであり、
時間的に隣り合う２つのフレーム画像から差分のあるデータを含むブロック領域を検出するブロック領域検出ステップと、
前記検出されたブロック領域と、このブロック領域の検出時の直前に検出されたブロック領域とから重なり領域を検出する重なり領域検出ステップと、
前記検出された重なり領域について、動画領域であるか否かを判定する動画領域判定ステップと、
前記動画領域であると判定されたブロック領域のうち、前回、画像供給に係る出力対象であった出力対象ブロック領域と重複しない領域の画像データを第１の圧縮率でデータ圧縮して第１の圧縮画像データを生成し、前記動画領域であると判定されたブロック領域と前記出力対象ブロック領域との重複する領域の画像データを前記第１の圧縮率よりも圧縮率の高い第２の圧縮率でデータ圧縮して第２の圧縮画像データを生成する圧縮画像データ生成ステップと、
前記生成された第１及び第２の圧縮画像データを出力する出力ステップと、
を前記コンピューターに実行させるための画像供給用プログラム。
【０００７】
本発明によれば、伝送路のトラフィックの負荷と、画像表示装置の表示処理の負荷とを軽減させて、画像表示装置の表示に関するパフォーマンスを高く維持することができる。
【図面の簡単な説明】
【０００８】
【図１】本発明の実施形態である画像供給システムを適用したプロジェクターシステムの構成図である。
【図２】パーソナルコンピューターのプロジェクターに対する画像データの供給処理を説明するためのフローチャートである。
【図３】矩形領域が決定されたフレーム画像を模式的に表した図である。
【図４】前回の更新領域と今回の矩形領域とから重複領域と単独領域とを検出することを説明するために模式的に表したフレーム画像の図である。
【図５】プロジェクターが、圧縮画像データを受信して画像を投写表示する処理を説明するためのフローチャートである。
【発明を実施するための形態】
【０００９】
以下、本発明を実施するための形態について、図面を参照して詳細に説明する。図１に、本発明の実施形態である画像供給システムを適用したプロジェクターシステムの構成図を示す。同図において、プロジェクターシステム１は、画像供給装置であるパーソナルコンピューター（ＰＣ）１０と、ＰＣ１０によるオペレーティング・システム（ＯＳ）やアプリケーション・プログラムの実行に係る情報を表示するための表示装置２０と、画像表示装置であるプロジェクター３０とを備えている。そして、ＰＣ１０とプロジェクター３０とは、ネットワーク４０を介して接続されている。また、表示装置２０は、ＰＣ１０に接続されている。なお、ＰＣ１０と表示装置２０とを、一般的なノートパソコンのように一体的に構成してもよい。
【００１０】
図１において、ＰＣ１０は、制御部１１と、表示制御部１２と、操作部１３と、格納部１４と、通信部１５とを備えており、これらの構成部はバス１６を介して機能的に接続されている。制御部１１は、ＰＣ１０全体の処理を制御する処理部であり、不図示のＣＰＵ、ＲＡＭ、ＲＯＭ等で構成されている。制御部１１は、格納部１４に格納されているＯＳやアプリケーション・プログラムをＲＡＭに読み出して実行することによってＰＣ１０全体を制御する。例えば、制御部１１が格納部１４に格納されたプレゼンテーション用のアプリケーション・プログラムを読み出して実行すると、ＰＣ１０はプレゼンテーション装置として動作する。また、制御部１１は、ＲＯＭに記憶されたか又は格納部１４に格納された画像供給用プログラムをＲＡＭに読み出して実行することにより、ＯＳやアプリケーション・プログラムの実行によってＰＣ１０が表示させるべき画像データを、ネットワーク４０に対するトラフィックの負荷と、プロジェクター３０に対する表示処理の負荷とが小さくなるように最適化して通信部１５から出力させる。この最適化処理については詳細を後述する。
【００１１】
表示制御部１２は、制御部１１の制御により、表示装置２０に表示させるべき表示情報をフレームデータとして不図示の画像メモリーに記憶させる。そして、表示制御部１２は、画像メモリーからフレームデータを読み出して画像信号（例えばＲＧＢ信号）に変換して出力する。操作部１３は、ＰＣ１０の操作者に操作入力させるための入力部であり、キーボードやマウス等のポインティング・デバイスを備えている。格納部１４は、上述したように、ＯＳやアプリケーション・プログラムを格納するものである。通信部１５は、クライアント側となるプロジェクター３０との間でデジタルデータを送受信するためのインターフェイス部であり、ネットワーク４０と接続するためのネットワークコネクター（例えば、カテゴリー５コネクター）を備えている。
【００１２】
図１において、プロジェクター３０は、制御部３１と、通信部３２と、画像処理部３３と、画像投写部３４と、投写制御部３５とを備えており、これらの構成のうち、制御部３１と、通信部３２と、画像処理部３３と、投写制御部３５とは、バス３６を介して機能的に接続されている。制御部３１は、プロジェクター３０全体の処理を制御する処理部であり、不図示のＣＰＵ、ＲＡＭ、ＲＯＭ等で構成されている。制御部３１は、ＲＯＭに記憶された画像受給用プログラムを読み出して実行することにより、ＰＣ１０から転送された画像データを通信部３２で受信させて画像処理部３３で画像処理を行わせ、画像投写部３４から画像を投写させることができる。制御部３１は、通信部３２で受信した画像データをＲＡＭに一時記憶（バッファリング）させ、この記憶された画像データを画像処理部３３に供給する。通信部３２は、ＰＣ１０の通信部１５と同様のインターフェイス部であり、ネットワーク４０と接続するためのネットワークコネクター（例えば、カテゴリー５コネクター）を備えている。
【００１３】
画像処理部３３は、制御部３１の制御によってＲＡＭから供給された画像データに基づいてフレーム画像を構成し、そのフレーム画像を画像投写部３４に供給する。画像処理部３３は、少なくとも１フレーム分のフレームメモリーを備えており、このフレームメモリーに前回のフレーム画像を記憶した状態で、ＲＡＭから供給された画像データを上書きして新たなフレーム画像を構成する。画像投写部３４は、不図示の光源、液晶ライトバルブ、及びレンズを備えており、画像処理部３３から供給されたフレームデータを液晶ライトバルブに入力して表示させ、光源が発光した光を液晶ライトバルブに照射することにより、液晶ライトバルブに表示されたフレーム画像を、レンズを通して外部の投写スクリーンに投写表示する。投写制御部３５は、制御部３１の制御により、画像投写部３４の光源や液晶ライトバルブの動作を制御する。
【００１４】
次に、ＰＣ１０からプロジェクター３０に転送される画像データについて説明する。本実施形態においては、ＰＣ１０は、プロジェクター３０に表示させるべき画像データについて、時間差のある２つのフレーム画像の間に差分のあるデータを含む矩形領域を決定して矩形領域データを抽出し、矩形領域が動画部分であるか否かを判定して、その判定結果に応じた所定の処理を矩形領域データに施してプロジェクター３０に転送する方式をとる。
【００１５】
より具体的に説明すると、ＰＣ１０は、矩形領域を決定して矩形領域データを抽出したのち、そのデータサイズと、プロジェクター３０の最適描画サイズＤＳとを比較する。そしてＰＣ１０は、矩形領域データのデータサイズが最適描画サイズＤＳ以下であると判定した場合は、矩形領域データをＪＰＥＧ方式等のフレーム内符号化方式によって第１の圧縮率でデータ圧縮処理してプロジェクター３０に転送する。最適描画サイズＤＳとは、プロジェクター３０の表示処理能力を示すパラメーターであり、プロジェクター３０が単位時間に、データ伸長処理して画像処理部３３のフレームメモリーに書き込み可能な容量、又はフレームメモリーから読み出して画像投写部３４の液晶ライトバルブに入力可能な容量のうち少ない方の容量をいう。この最適描画サイズＤＳは、ＰＣ１０の制御部１１や格納部１４に予め設定しておいてもよいし、ＰＣ１０がプロジェクター３０からネットワーク４０を介して取得するようにしてもよい。
【００１６】
一方、ＰＣ１０は、矩形領域の大きさが最適描画サイズＤＳよりも大きいと判定した場合は、その矩形領域が時系列的に動きのある領域、つまり動画領域であるか否かを判定する処理（動画判定処理）に移行する。この動画判定処理では、矩形領域を時系列的にサンプリングする。そして、時間的に隣り合う矩形領域の重なり度合いとその重なりの発生頻度とに基づいて動画領域であるか否かを判定する。そして、ＰＣ１０は、矩形領域が動画領域であると判定した場合は、最新の矩形領域の矩形領域データのうち、最新の矩形領域と、前回プロジェクター３０に転送した画像データに係る矩形領域との重なりのある領域（重複領域）に対応する画像データを第１の圧縮率よりも圧縮率の高い第２の圧縮率でデータ圧縮する。そして、ＰＣ１０は、最新の矩形領域の矩形領域データのうち、重複領域以外の領域（単独領域）に対応する画像データを第１の圧縮率でデータ圧縮する。そして、ＰＣ１０は、データ圧縮された各圧縮画像データをプロジェクター３０に転送する。
【００１７】
次に、ＰＣ１０のプロジェクター３０に対する画像データの供給処理について図２のフローチャートを参照して説明する。同図のフローチャートは、前回分の画像データをプロジェクター３０に転送したのち、次の画像データを転送するまでの処理の流れを示したものである。ＰＣ１０の制御部１１は、カウンター変数Ｃを０に初期化する（Ｓ２０１）。次に、制御部１１は、表示制御部１２の画像メモリーに記憶された前回のフレーム画像と今回のフレーム画像とを比較して差分のあるデータを含む矩形領域を決定してその座標値（今回の座標値）を取得するとともに矩形領域データを抽出する（Ｓ２０２）。取得される座標値は、図３のフレーム画像３に示すように、検出された矩形領域Ｂ１の３座標である（Ｘ０，Ｙ０）と、（Ｘ１，Ｙ０）と、（Ｘ０，Ｙ１）とである。
【００１８】
次に、制御部１１は、矩形領域データのデータサイズを取得して最適描画サイズＤＳと比較する（Ｓ２０３）。矩形領域データのデータサイズは、ステップＳ２０２の処理において取得された今回の座標値と画像の解像度に係る情報（例えば、ＲＧＢ各８ビットであれば解像度は２４ビットである。）とから算出してもよいし、抽出された矩形領域データのデータサイズを計測してもよい。制御部１１が、矩形領域データのデータサイズが最適描画サイズＤＳよりも大きいと判定した場合（Ｓ２０３  ＹＥＳ）、制御部１１は、ＲＡＭに保存された前回の矩形領域の座標値（前回の座標値）を読み出して、これらと今回の座標値とに基づいて領域の重なりを検出する（Ｓ２０４）。
【００１９】
次に、制御部１１は、検出された重なり領域の面積が動画判定面積基準ＤＬ以上であるか否かを判定する（Ｓ２０５）。この動画判定面積基準ＤＬは、今回の矩形領域の所定割合とすることができる。この判定処理によって重なり領域の面積が動画判定面積基準ＤＬ以上であると判定された場合（Ｓ２０５  ＹＥＳ）、制御部１１は、今回の座標値をＲＡＭに保存し（Ｓ２０６）、カウンター変数Ｃを１つインクリメントする（Ｓ２０７）。次に、制御部１１は、カウンター変数Ｃが動画判定回数基準ＭＬになったか否かを判定する（Ｓ２０８）。この動画判定回数基準ＭＬは、動画判定面積基準ＤＬ以上の重なり度合いで領域の重なる矩形領域が連続して出現する回数によって、矩形領域が動画領域であるか否かを判定する基準である。
【００２０】
この判定処理によってカウンター変数が動画判定回数基準ＭＬになっていないと判定された場合（Ｓ２０８  ＮＯ）は、ステップＳ２０２の処理に移行する。一方、カウンター変数が動画判定回数基準ＭＬになったと判定された場合（Ｓ２０８  ＹＥＳ）は、制御部１１は、ＲＡＭに記憶された、前回プロジェクター３０に転送した画像データに係る矩形領域（更新領域）の座標値を読み出して、これらの座標値と今回の座標値とに基づいて重複領域を検出する。そして、制御部１１は、今回の矩形領域データにおける重複領域に対応する領域の画像データを、圧縮率の高い方である第２の圧縮率でデータ圧縮処理する（Ｓ２０９）。次に、制御部１１は、今回の矩形領域データにおける単独領域に対応する領域の画像データを、圧縮率の低い方である第１の圧縮率でデータ圧縮処理する（Ｓ２１０）。例えば、図４に示すフレーム画像４において、制御部１１は、更新領域ＰＵの座標値を読み出して、これらの座標値と、今回の矩形領域ＣＵの座標値とに基づいて重複領域ＣＡを検出する。そして、制御部１１は、重複領域ＣＡの画像データを第２の圧縮率でデータ圧縮処理する。そして、制御部１１は、今回の矩形領域ＣＵにおける単独領域ＩＡの画像データを第１の圧縮率でデータ圧縮処理する。なお、圧縮画像データのヘッダには、座標値を含める。
【００２１】
次に、制御部１１は、ステップＳ２０９の処理及びステップＳ２１０の処理でデータ圧縮された圧縮画像データを通信部１５により送信する（Ｓ２１１）。次に、制御部１１は、ＲＡＭに記憶された更新領域の座標値を、今回の座標値で更新する（Ｓ２１２）。
【００２２】
ステップＳ２０３の処理において、制御部１１が、矩形領域データのデータサイズが最適描画サイズＤＳ以下であると判定した場合（Ｓ２０３  ＮＯ）、及びステップＳ２０５の処理において、制御部１１が、重なり領域が動画判定面積基準ＤＬよりも少ないと判定した場合（Ｓ２０５  ＮＯ）、制御部１１は、今回の矩形領域データを、圧縮率の低い方である第１の圧縮率でデータ圧縮処理してステップＳ２１１の処理に移行する（Ｓ２２１）。
【００２３】
次に、プロジェクター３０の制御部３１が、画像受給用プログラムを実行することにより、圧縮画像データを受信して画像を投写表示する処理について、図５のフローチャートを参照して説明する。同図において、プロジェクター３０は、ＰＣ１０から送信された圧縮画像データを通信部３２で受信して制御部３１に供給する（Ｓ５０１）。次に、制御部３１は、圧縮画像データを一旦ＲＡＭに記憶させ、その記憶させたＲＡＭから圧縮画像データを読み出して画像処理部３３に供給する。そして、画像処理部３３は、圧縮画像データをデータ伸長処理する（Ｓ５０２）。次に、画像処理部３３は、圧縮画像データのヘッダに含まれる座標値に基づきデータ伸長後の画像データをフレーム画像に構成して画像投写部３４に供給する（Ｓ５０３）。そして、画像投写部３４は、フレーム画像を投写する（Ｓ５０４）。
【００２４】
上述したとおり、本実施形態によれば、ＰＣとプロジェクターとをネットワークを介して接続したプロジェクターシステムにおいて、ＰＣは、時間差のある２つのフレーム画像間の差分データを含む矩形領域について動画判定処理を行い、矩形領域が動画領域であると判定された場合には、前回の更新領域との重複部分の圧縮率を高く（すなわち、データ量が少なくなるように）してデータ圧縮を行うようにしたので、動きのある動画領域については画質をやや劣化させるものの、データ量を圧縮して効率のよいデータ転送を行うことができる。これにより、ネットワークに対するトラフィックの負荷や、プロジェクターに対する表示処理の負荷を軽減することができる。
【００２５】
なお、ＰＣとプロジェクターとの接続インターフェイスはネットワークに限らず、ＵＳＢ（Ｕｎｉｖｅｒｓａｌ  Ｓｅｒｉａｌ  Ｂｕｓ）やＩＥＥＥ１３９４等のシリアルバスを用いてもよい。
【００２６】
以上、本発明の実施形態について詳述したが、具体的な構成はこの実施形態に限られるものではなく、本発明の要旨を逸脱しない範囲の設計等も含まれる。
【符号の説明】
【００２７】
１  プロジェクターシステム
１０  パーソナルコンピューター
１１，３１  制御部
１２  表示制御部
１３  操作部
１４  格納部
１５，３２  通信部
１６，３６  バス
２０  表示装置
３０  プロジェクター
３３  画像処理部
３４  画像投写部
３５  投写制御部
４０  ネットワーク
【図１】
2010206618.tif 000003
【図２】
2010206618.tif 000004
【図３】
2010206618.tif 000005
【図４】
2010206618.tif 000006
【図５】
2010206618.tif 000007